(57)【要約】【課題】その目的とするところは、安全性が高く、ちょうちんの吊り下げを容易・確実に行なえるちょうちん用手提げ兼灯具を提供する。【解決手段】電池を収納した把手部に続く中空棒部にコードを挿通させ、コード先端にライトを取り付けた樹脂製の手提げ部体と、前記中空棒部の先端部分にコードの導出を許すように着脱可能に嵌まる樹脂製キャップ部体を備え、樹脂製キャップ部体が筒部の下部にちょうちんを吊り持ちするフック状の吊り部を一体形成している。【選択図】図２
0003105093.tif 000002
【実用新案登録請求の範囲】
【請求項１】
電池を収納しこれをオンオフするスイッチを把手部に備え、把手部に続く中空棒部内を挿通したコードの先端にライトを取り付けた樹脂製の手提げ部体と、コードの導出を許すように前記中空棒部の先端部分に着脱可能に嵌まる樹脂製キャップ部体を備え、樹脂製キャップ部体が筒部の下部にちょうちんを吊り持ちするフック状の吊り片を一体形成していることを特徴とするちょうちん用手提げ具兼灯具。
【請求項２】
ライトが、ホルダー内にプッシュインソケットを設け、端子付き電球ユニットを前記プッシュインソケットに挿脱可能に取り付けている請求項１に記載のちょうちん用手提げ具兼灯具。
【請求項３】
中空棒部は先端から所要範囲にコードのはめ込みを許すスリットを有し、コードが樹脂製キャップ部体内で長さ調整可能である請求項１に記載のちょうちん用手提げ具兼灯具。
【考案の詳細な説明】
【技術分野】
【０００１】
本考案はちょうちん用手提げ具兼灯具に関する。
【背景技術】
【０００２】
慶賀や神社の祭礼などに際しては、棒状の手提げ具でちょうちんを吊持して練り歩く「ちょうちん行列」が行われている。
こうした場合の灯りとしては、従来ではろうそくが用いられていたが、風で立ち消えてしまったり、ちょうちんに火が接触して燃えたり、さらには衣服に燃え移ったりするトラブルが発生しやすかった。
【０００３】
この対策として、棒状の手提げ具に、乾電池を電源とする豆電球付きコードを装備させ、その豆電球をちょうちん内に位置させて明かりを得るようにしたちょうちん用手提げ兼灯具が使用されている。
しかし、従来のこの種のちょうちん用手提げ兼灯具においては、手提げ具の棒先端面に金属製のフックを取り付けていたため、ちょうちんへの取り付け操作をしにくいばかりか、棒先に硬質な金属が突出しているため、人や物に衝突した時に傷をつける危険があり、また、衝撃でフックからちょうちんが外れて落下し、踏みつけられてしまったりする可能性ががあるなどの問題があった。
また、電球がホルダーに一体的に固定化されたていたためフィラメントが切れた場合には使い捨てとなり、他の部分が健全であっても全体を廃棄せざるを得ないことになり不経済であった。
【考案の開示】
【考案が解決しようとする課題】
【０００４】
本考案は前記のような問題点を解消するためになされたもので、その目的とするところは、安全性が高く、ちょうちんの吊り下げを容易・確実に行なえるちょうちん用手提げ兼灯具を提供することにある。
また本考案の他の目的は、前記目的に加えて、電球の交換を行なえ、長期にわたって使用できるちょうちん用手提げ兼灯具を提供することにある。
【課題を解決するための手段】
【０００５】
上記目的を達成するため本考案は、電池を収納しこれをオンオフするスイッチを把手部に備え、把手部に続く中空棒部内を挿通したコードの先端にライトを取り付けた樹脂製の手提げ部体と、コードの導出を許すように前記中空棒部の先端部分に着脱可能に嵌まる樹脂製キャップ部体を備え、樹脂製キャップ部体が筒部の下部にちょうちんを吊り持ちするフック状の吊り片を一体形成していることを特徴としている。
【０００６】
また、本考案は、ライトが、ホルダー内にプッシュインソケットを設け、端子付き電球ユニットを前記にプッシュインソケットに挿脱可能に取り付けたことを特徴としている。
【考案の効果】
【０００７】
本考案によるときには、中空棒部の先端部分に着脱可能に嵌まる筒部の下部にフック状の吊り片を一体に形成した樹脂製キャップ部体を備えているので、吊り片の大きさに制約を受けず十分に大きくすることが可能であり、ちょうちんを吊り持ちする際の取り付け操作が容易である。また、金属部品が存在しないので使用時に人体や他物と衝突しても機械的、電気的に安全であり、人体や他物と衝突しても衝撃で吊り片が外される恐れも少なく、また、部品数も少ないのでコストも安くすることができるなどのすぐれた効果が得られる。
【考案を実施するための最良の形態】
【０００８】
好適には、ライトが、ホルダー内にプッシュインソケットを設け、端子付き電球ユニットを前記プッシュインソケットに挿脱可能に取り付けている。
これによれば、電球が切れても新たな端子付き電球ユニットをプッシュインソケット押し込むだけで再生でき、したがって長期にわたって使用できるというすぐれた効果が得られる。
【０００９】
また、中空棒部は先端から所要範囲にコードのはめ込みを許すスリットを有し、コードが樹脂製キャップ部体内で長さ調整可能である。
これによれば、スリットからコードを引き出すことによってコード有効長さを大きくすることができ、スリットから引き出さず、先の部分までコードを延出してヘアピン状に曲げ、中空棒部の外面とキャップの内面との間にコードを挟着することによりコード有効長さを短縮することができる。
したがって、一つの種類でちょうちんの各種大きさに適合させることが可能であり、常に高さ方向で中心に近い部位で電球を点灯させることができるので、明るく照らすことができる。
【実施例１】
【００１０】
以下添付図面を参照して本考案の実施例を説明する。
図１ないし図５は本考案によるちょうちん用手提げ兼灯具の一実施例を示しており、１はちょうちんで、輪状の骨線材にシートを貼着した本体１ａの上下に短筒状の化粧輪１ｂ、１ｂ’を設け、上部の化粧輪１ｂにアーチ状の吊り金具１ｃの両端部を取り付け、吊り金具１ｃの頂部に輪状の吊り用部１０を形成している。
【００１１】
２は本考案のちょうちん用手提げ兼灯具であり、合成樹脂製の手提げ部体３と、同じく合成樹脂製のキャップ部体４とからなっている。
前記手提げ部体３は、図２のように、電池５を収納する筒室３０を有し、外部にオンオフ用のスライドスイッチ３１を備えた把手部３ａを有しており、該把手部３ａは口部の雌ねじ３００をもって中空棒部３ｂの基端外周雄ねじ３０１に着脱可能に連結されている。
中空棒部３ｂの基端には電池５に対する端子を有し、該端子にはコード６の基端が接続されている。コード６は中空棒部３ｂの空間中を通って延び、先端にはライト７が接続されている。中空棒部３ｂの先端領域で円周上の下部側には、図３のように所要の長さのスリット３２が形成され、ここにコード６がはめ込み可能となっている。
【００１２】
前記キャップ部体４は先端に止壁４０を有する筒部４ａと、該筒部のほぼ中間位置において下面側に一体形成した比較的厚さが扁平なフック状の吊り片４ｂとを有している。吊り片４ｂは下降部４００に続いてヘアピン状の湾曲部分４０１を有し、湾曲部分４０１は先端に反対側に適度に曲がったガイド部分４０２を有し、全体が適度のばね性を有している。
前記筒部４ａは、コード６を中空棒部３ｂの外面長手方向に沿わせた状態でコード６を覆ってきつく外嵌し得るよう、中空棒部３ｂの外径よりも十分に大きな内径を有している。したがって、コード６は筒部４ａと中空棒部３ｂで挟持され、筒部４ａの開口位置から下方に垂れ下がる。
【００１３】
前記ライト７は、図５のように、プッシュインソケット７ｂを内挿したホルダー７ａと、端子付き電球７ｃと、ねじによってホルダー７ａに取り付けられる透明な筒状カバー7ｄとの組み合わせからなっている。
前記コード６はプッシュインソケット７ｂの内壁に対向状に固定された１組の舌状端子７０，７０に接続されている。端子付き電球７ｃは、ボス部７２とこれの先に扁平状の端子台部７３を有し、電球７５の導線７１，７１が端部を端子台部７３の両側に露出するように固定されていて、ボス部７２をプッシュインソケット７ｂの開口部に押し込むことにより導線７１，７１が舌状端子７０，７０に接触して電気的に接続されるようになっている。
【００１４】
実施例の作用を説明すると、使用にあたっては、ちょうちん１を伸ばし、キャップ部体４の基端部位から下っているコード６の先端のライト７を化粧輪１ｂの開口からちょうちん１の内部に入れながら、吊り片４ｂをアーチ状の吊り金具１ｃの頂部にある吊り用部１０に引っ掛ける。
この操作は、フック状の吊り片４ｂが棒状部の軸方向先端にあるのでなく、キャップ部体４の下面側にあり、しかも大きく目視しやすいので、非常に簡単、確実に行なえる。この状態で手提げ部体３のスライドスイッチ３１をオンにすれば、コード６とプッシュインソケット７ｂを経て電球７ｃに通電されて点灯されるので、手提げ部体３により点灯したちょうちんを持ち運ぶことができる。
【００１５】
こうしたちょうちん行列において、ヘアピン状の湾曲部分４０１が大きく深いので、手提げ部体３から先が揺らされても、吊り用部１０から吊り片４ｂが外れることがなく、安定的に携行することができる。
また、吊り片４ｂがキャップ部体４の下面側に垂下しているため、キャップ部体４の先端が所持者の前に歩いている人やその持ち物などと衝突しても破損する心配がなく、またキャップ部体４は合成樹脂製であり、先端に金属製の突起物が何もないので、所持者の前に歩いている人やその持ち物などと衝突しても安全である。
【００１６】
本考案においては、コード６は、図３の実線のようにスリット３２の奥位置で屈曲して導出する場合のほか、スリット３２の位置で屈曲せずに図３の仮想線に示すように、スリット３２の最先端位置でＵターンさせて筒部４ａ内に納めて導出することができる。
したがって、キャップ部体４から下るコード長さは、前者のようにすれば大きくなり、後者のようにすれば短くなる。このため、吊り持ちするちょうちん１の大きさが変わっても自在に対応し、中心付近にライトを位置させて点灯させることができる。
【００１７】
また、ライト７の電球７５が直接露出しておらず筒状カバー7ｄで保護されているので、揺動して硬質なものと衝突してもフィラメントがきれにくく、寿命等によって電球が切れても、端子付き電球とプッシュインソケット７ｂとによって簡単に交換することができ、したがって、使い捨てでなく経済的であるとともに相当長期にわたって使用することができる。
【図面の簡単な説明】
【００１８】
【図１】本考案によるちょうちん用手提げ具兼灯具を使用状態で示す部分切欠斜視図である。
【図２】本考案によるちょうちん用手提げ具兼灯具の側面図である。
【図３】キャップ部分の断面図である。
【図４】キャップ部分の部分切欠正面図である。
【図５】ライト部分の分解図である。
【符号の説明】
【００１９】
１  ちょうちん
３  手提げ部体３
４  キャップ部体
４ａ  筒部
４ｂ  吊り片
６  コード
７  ライト
３２  スリット
【図１】
0003105093.tif 000003
【図２】
0003105093.tif 000004
【図３】
0003105093.tif 000005
【図４】
0003105093.tif 000006
【図５】
0003105093.tif 000007